(57)【特許請求の範囲】
【請求項１】
前面に開口を具備する自動販売機本体と、
この自動販売機本体の前面開口を開閉自在に閉塞する前面扉と、
前面扉が開いていることを検知して、扉開信号を出力する扉センサーと、
スイッチ回路を具備し、このスイッチ回路に警報稼働信号が入力されると、後記充電回路からの電気が流れて警報を発する警報装置と、
警報装置の警報作動を停止させる警報解除手段と、
前記扉センサーが接続され、この扉センサーから扉開信号が入力され、かつ、警報解除手段により警報が解除されていない場合には、警報装置のスイッチ回路に警報稼働信号を出力する制御装置と、
この制御装置、制御装置用電池および外部電源に接続され、外部電源から電気が供給されている際には、外部電源からの電気を制御装置および扉センサーに供給し、外部電源からの電気の供給が遮断されている際には、制御装置用電池からの電気を制御装置および扉センサーに供給している制御装置用電源切換装置と、
警報装置、警報装置用充電池および外部電源に接続され、外部電源から電気が供給されている際には、外部電源からの電気を警報装置および警報装置用充電池に供給し、一方、外部電源からの電気の供給が遮断されている際には、警報装置用充電池から警報装置に電気を供給している充電回路とを備えていることを特徴としている自動販売機。
【請求項２】
前記警報解除手段が、前面扉の前面側に設けられている商品選択ボタンなどの外部操作部材および、この外部操作部材が操作された際にＯＮまたはＯＦＦする外部操作部材用スイッチで構成され、この外部操作部材用スイッチの出力が制御装置に入力されていることを特徴としている請求項１記載の自動販売機。
【発明の詳細な説明】
【０００１】
【発明の属する技術分野】
本発明は、盗難防止ブザーなどの警報装置を具備している自動販売機に関する。
【０００２】
【従来の技術】
従来の自動販売機における盗難警報システムを、図８で説明する。図８は従来の自動販売機における盗難警報システムの回路図である。警報装置である盗難防止ブザー０１に、直列に鍵スイッチ０２、扉スイッチ０３および乾電池０４が接続されている。そして、自動販売機の前面扉の鍵の施錠を解除すると、鍵スイッチ０２はＯＦＦとなり、一方、前面扉の鍵を施錠すると、鍵スイッチ０２はＯＮとなる。また、前面扉が開くと、扉スイッチ０３はＯＮとなり、一方、前面扉が閉まると、扉スイッチ０３はＯＦＦとなる。したがって、前面扉の鍵が施錠されている状態で、前面扉を強引に開けると、鍵スイッチ０２および扉スイッチ０３の両者がＯＮとなり、乾電池０４の電気が盗難防止ブザー０１に流れ、盗難防止ブザー０１が警報を発している。この警報により、盗難や悪戯を防止することができる。
【０００３】
【発明が解決しようとする課題】
ところで、盗難防止ブザー０１が作動すると、乾電池０４の電気消費量が多く、放電しつくすことがあるので、盗難警報システムが作動した後は、乾電池０４を新しい乾電池０４に取り換える必要がある。また、盗難防止ブザー０１が作動した際に、鍵を所持していなかったり、鍵孔を壊されたりしていると、自動販売機内の乾電池０４を取り外さないと、警報を解除することができない。
【０００４】
本発明は、以上のような課題を解決するためのもので、警報装置の作動後に、乾電池などの部品を交換することが不要な自動販売機を提供することを目的とする。
【０００５】
【課題を解決するための手段】
本発明の自動販売機は、前面に開口を具備する自動販売機本体（１）と、この自動販売機本体の前面開口を開閉自在に閉塞する前面扉（２）と、前面扉が開いていることを検知して扉開信号を出力する扉センサー（２３）と、スイッチ回路（２６ａ）を具備し、このスイッチ回路に警報稼働信号が入力されると、後記充電回路（４７）からの電気が流れて警報を発する警報装置（２６）と、警報装置の警報作動を停止させる警報解除手段（１１）と、前記扉センサーが接続され、この扉センサーから扉開信号が入力され、かつ、警報解除手段により警報が解除されていない場合には、警報装置のスイッチ回路に警報稼働信号を出力する制御装置（４１）と、この制御装置、制御装置用電池（５２）および外部電源（４６）に接続され、外部電源から電気が供給されている際には、外部電源からの電気を制御装置および扉センサーに供給し、外部電源からの電気の供給が遮断されている際には、制御装置用電池からの電気を制御装置および扉センサーに供給している制御装置用電源切換装置（４８）と、警報装置、警報装置用充電池（５１）および外部電源に接続され、外部電源から電気が供給されている際には、外部電源からの電気を警報装置および警報装置用充電池に供給し、一方、外部電源からの電気の供給が遮断されている際には、警報装置用充電池から警報装置に電気を供給している充電回路とを備えている。
【０００６】
また、警報解除手段が、前面扉の前面側に設けられている商品選択ボタンなどの外部操作部材および、この外部操作部材が操作された際にＯＮまたはＯＦＦする外部操作部材用スイッチで構成され、この外部操作部材用スイッチの出力が制御装置に入力されている場合がある。
【０００７】
【発明の実施の形態】
次に、本発明における自動販売機の実施の一形態を図１ないし図７を用いて説明する。図１は本発明にかかる自動販売機の正面図である。図２は自動販売機の断面図である。図３は制御回路図である。図４は金額表示器の正面図である。図５は暗証番号設定のフローチャートである。図６は警報解除のフローチャートである。図７は動作時刻の設定のフローチャートである。なお、図１および図２において、商品選択用制御装置に接続されている配線は一部のみが図示されている。そして、図３において、電気信号の流れは実線で、また、駆動用の電気の流れは一点鎖線で図示されている。
【０００８】
自動販売機の本体は、前面が開口している断熱箱体１で構成され、この断熱箱体１の前面開口を、断熱扉である前面扉２が開閉自在に閉塞している。また、断熱箱体１の内部には冷却貯蔵室３が形成され、この冷却貯蔵室３内に、複数の商品収納棚４が上下に多段に配置されている。この商品収納棚４は後下がりに傾斜し、この各商品収納棚４に各々、缶飲料などの販売商品Ｓが多数並べられて収納されている。また、商品収納棚４の後端部には、商品払出装置６が設けられており、最後尾の販売商品Ｓを上方から係止して、販売商品Ｓが商品収納棚４から落下することを阻止している。そして、商品払出しの際には、商品払出装置６が稼働して上方に回避し、商品払出装置６と販売商品Ｓとの係合が解除され、最後尾の販売商品Ｓが落下している。
【０００９】
商品収納棚４の下方にはシューター７が前下りに傾斜して設けられ、また、前面扉２の下部には商品取出口８が設けられている。そして、商品収納棚４から落下した販売商品Ｓは、シューター７上に落下して、シューター７で商品取出口８まで導かれている。この商品取出口８の販売商品Ｓは、商品取出口８の前面扉９を開けることにより、取り出すことができる。
【００１０】
また、前面扉２の前面には、商品選択ボタン１１が縦に５段（上から順に、ａ，ｂ，ｃ，ｄ，ｅ）、横に４列（左から順に１，２，３，４）並べられ、たとえば、上から２段目で左から２個目の商品選択ボタン１１は、商品選択ボタンｂ２と呼ぶ。この商品選択ボタン１１の後側に各々商品選択スイッチ１２が設けられている。そして、商品選択ボタン１１が押圧されると、それまでＯＦＦであった商品選択スイッチ１２がＯＮとなり、商品選択信号を出力する。
【００１１】
さらに、前面扉２には、鍵孔１６、金額表示器１７および金銭投入口１８などが設けられている。金額表示器１７は図４に図示するように、７セグメント形式の表示器で、４個の表示部ｋ１，ｋ２，ｋ３，ｋ４を具備しており、四桁の表示が可能となっている。また、金銭投入口１８に投入された金銭などの代金は、前面扉２の内部に設けられているコインメカニズムなどの代金処理装置１９で処理されており、この代金処理装置１９は投入金額を、後述する代金処理用制御装置２１に出力している。
【００１２】
また、断熱箱体１には、前面扉２との当接面に、扉センサー２３が上下一対設けられ、前面扉２が開くと、それまでＯＮであった扉センサー２３がＯＦＦとなり、扉開信号を出力する。さらに、断熱箱体１内部には、盗難防止ブザーなどの警報装置２６が設けられている。
【００１３】
さらに、断熱箱体１の下方の機械室３１には、凝縮器３２、凝縮器用送風機３３および圧縮機３４等が配置されている。一方、冷却貯蔵室３内には、図示しない冷却器および冷却器用送風機などが配置され、凝縮器３２、圧縮機３４および冷却器などが、いわゆる冷凍サイクルを構成している。この冷凍サイクルが稼働して、冷却貯蔵室３を冷却している。
【００１４】
そして、自動販売機の内部には、たとえば、商品選択用制御装置４１、商品払出用制御装置４２および代金処理用制御装置２１などのサブの制御装置、並びに、メイン制御装置４４が設けられている。各サブの制御装置４１，４２，２１は、マイコンなどで構成されており、種々の機器が接続されているが、この実施の形態に関連する機器として、たとえば、商品選択用制御装置４１には、入力側に扉センサー２３および商品選択スイッチ１２などが、また、出力側に金額表示器１７および警報装置２６のスイッチ回路２６ａなどが接続されている。複数の商品選択スイッチ１２は、従来から良く知られている様に、商品選択用制御装置４１にマトリックスで接続されており、どの商品選択スイッチ１２が操作されたかを、商品選択用制御装置４１が分かるようになっている。そして、商品払出用制御装置４２の出力側には、商品払出装置６などが、また、代金処理用制御装置２１の入出力には、代金処理装置１９などが接続されている。メイン制御装置４４もマイコンなどで構成され、複数のサブの制御装置４１，４２，２１と入出力可能に接続されており、これら複数のサブの制御装置４１，４２，２１を統括して制御している。
【００１５】
さらに、自動販売機には、電源コードが設けられ、この電源コードのプラグが、自動販売機設置場所のコンセントなどに接続されている。この様にして、商用の交流電源などの外部電源４６から電気が、自動販売機に供給されており、この外部電源４６に警報装置用充電回路４７および制御装置用電源切換装置４８が並列に接続されている。そして、警報装置用充電回路４７には、充電池５１および警報装置２６が接続されており、外部電源４６から電気が供給されている際には、外部電源４６からの電気を充電池５１および警報装置２６に供給し、一方、外部電源４６からの電気が遮断されている際には、充電池５１からの電気を警報装置２６に供給している。また、制御装置用電源切換装置４８には、乾電池などの電池５２および商品選択用制御装置４１が接続されており、外部電源４６から電気が供給されている際には、外部電源４６からの電気を商品選択用制御装置４１に供給し、一方、外部電源４６からの電気が遮断されている際には、電池５２からの電気を商品選択用制御装置４１に供給している。
【００１６】
そして、商品払出装置６、代金処理装置１９、凝縮器用送風機３３、圧縮機３４、商品選択用制御装置４１以外のサブの制御装置４２，２１、また、メイン制御装置４４などには、警報装置用充電回路４７や制御装置用電源切換装置４８を介さずに外部電源４６が接続されており、外部電源４６からの電気が直接供給されている。
【００１７】
この様に構成されている自動販売機において、購買客が商品Ｓを購入する際には、まず初めに、代金として金銭を金銭投入口１８に投入する。すると、代金処理装置１９が、投入された金銭の金額を判断し、その投入金額を代金処理用制御装置２１に出力する。そして、投入金額は、この代金処理用制御装置２１およびメイン制御装置４４を介して、商品選択用制御装置４１に入力されている。商品選択用制御装置４１は、この投入金額に基づいて、金額表示器１７の各表示部ｋ１，ｋ２，ｋ３，ｋ４を点灯させている。ついで、購買客が買いたい商品Ｓに対応する商品選択ボタン１１を押すと、商品選択ボタン１１の商品選択スイッチ１２がＯＮとなり、商品選択信号が商品選択用制御装置４１に出力され、商品選択用制御装置４１はどの商品選択ボタン１１が操作されたかが分かり、対応する商品Ｓの払出信号を出力する。この払出信号は、メイン制御装置４４を介して商品払出用制御装置４２に出力され、商品選択ボタン１１に対応する商品Ｓの商品払出装置６を稼働させる。すると、商品収納棚４上の商品Ｓがシューター７に導かれて、商品取出口８に落下している。購買客は、商品取出口８の前面扉９を開けて、商品取出口８内の商品Ｓを取り出すことができる。以上で、商品Ｓの販売のフローが終了する。
【００１８】
ついで、この様な自動販売機の盗難防止システムについて説明する。この盗難防止システムは、扉センサー２３、商品選択用制御装置４１、商品選択ボタン１１、商品選択スイッチ１２、金額表示器１７、警報装置２６、制御装置用電源切換装置４８および警報装置用充電回路４７などで構成されている。ところで、この自動販売機においては、予め設定された商品選択ボタン１１で予め決められている操作がされると、暗証番号設定モード、警報解除モードおよび警報動作時刻の設定モードなどに切り換わるように前もって設定してある。たとえば、商品選択ボタンｂ１が連続して３回押されると暗証番号設定モードに、また、商品選択ボタンｂ２が連続して３回押されると警報解除モードに、さらに、商品選択ボタンｂ３が連続して３回押されると警報動作時刻の設定モードになる。上記各モードにおいて、商品選択ボタン１１のａ１〜ａ４，ｂ１〜ｂ４，ｃ１，ｃ２の１０個が、数字の１〜９，０の入力ボタンとなっている。
【００１９】
まず初めに、暗証番号の設定を図５のフローに沿って説明する。ステップ１において、商品選択ボタンｂ１を連続的に３回押すと、商品選択ボタンｂ１の商品選択スイッチ１２がＯＮ−ＯＦＦを３回繰り返し、商品選択信号が３回、商品選択用制御装置４１に出力される。ステップ２において、商品選択用制御装置４１は、暗証番号設定モードであると判断し、暗証番号設定モードに入る。ステップ３において、たとえば、商品選択ボタンａ１を押すと、商品選択ボタンａ１の商品選択スイッチ１２がＯＮとなり、商品選択用制御装置４１に商品選択信号が入力される。商品選択用制御装置４１は、この商品選択ボタンａ１の商品選択スイッチ１２からの商品選択信号を、数字の１の入力と解釈して、ステップ４において、金額表示器１７の表示部ｋ１に「１」を表示させる。ついで、ステップ５において、商品選択ボタンａ４を押すと、同様にして、商品選択用制御装置４１に商品選択信号が入力され、商品選択用制御装置４１は、この商品選択ボタンａ４の商品選択スイッチ１２からの商品選択信号を、数字の４の入力と解釈して、ステップ６において、金額表示器１７の表示部ｋ２に「４」を表示させる。ついで、ステップ７において、商品選択ボタンｃ１を押すと、同様にして、商品選択用制御装置４１は、この商品選択ボタンｃ４の商品選択スイッチ１２からの商品選択信号を、数字の９の入力と解釈して、ステップ８において、金額表示器１７の表示部ｋ３に「９」を表示させる。ついで、ステップ９において、商品選択ボタンｂ４を押すと、同様にして、商品選択用制御装置４１は、この商品選択ボタンｂ４の商品選択スイッチ１２からの商品選択信号を、数字の８の入力と解釈して、ステップ１０において、金額表示器１７の表示部ｋ４に「８」を表示させる。この様にして、金額表示器１７には、１４９８が表示され、これが暗証番号となる。ついで、ステップ１１において、商品選択ボタンｂ１を連続的に３回押すと、商品選択ボタンｂ１の商品選択スイッチ１２がＯＮ−ＯＦＦを３回繰り返し、商品選択信号が３回、商品選択用制御装置４１に出力される。商品選択用制御装置４１は、暗証番号設定モードの終了と判断し、暗証番号設定モードを終了して、通常の販売モードに復帰する。この様にして、暗証番号設定手段としての商品選択ボタン１１および商品選択スイッチ１２が、商品選択用制御装置４１に暗証番号設定信号を出力している。
【００２０】
そして、前面扉２が閉じられている状態で、盗難をするために前面扉２がこじ開けられると、扉センサー２３が作動し、扉センサー２３の出力がＯＮからＯＦＦに変化する。この扉センサー２３のＯＦＦ信号すなわち扉開信号が、商品選択用制御装置４１に入力されると、商品選択用制御装置４１は盗難であると判断して、警報装置２６のスイッチ回路２６ａに警報稼働信号を出力し、スイッチ回路２６ａをＯＮとする。すると、警報装置２６は警報装置用充電回路４７からの電気で稼働し、警報を発している。この盗難の際に、前もって、外部電源４６が抜かれることがある。しかしながら、その様な場合でも、メイン制御装置４４、商品払出装置６および代金処理装置１９などは稼働を停止するが、商品選択用制御装置４１には電池５２からの電気が供給され、一方、警報装置２６には充電池５１からの電気が供給されており、警報システムは確実に作動することができる。なお、扉センサー２３、商品選択スイッチ１２および金額表示器１７は、商品選択用制御装置４１からの電力すなわち電池５２からの電気で作動している。また、警報の解除は、暗証番号を入力されることにより行われている。したがって、前面扉２を開けた際に、警報装置２６が警報を発するので、あわてて前面扉２が閉められることがあるが、この様な場合でも、警報は停止しない。さらに、警報装置２６は、充電池５１が放電しきるまで、何度でも警報を発することができる。また、充電池５１は警報後、外部電源４６から電気を供給された際に、充電されている。
【００２１】
この様にして、警報装置２６が警報を発した際に、この警報を解除すなわち停止させる必要がある。この実施の形態においては、前記図５のフローで設定した暗証番号を入力することにより、解除している。この警報解除を図６のフローに沿って説明する。ステップ１において、商品選択ボタンｂ２を連続的に３回押すと、商品選択ボタンｂ２の商品選択スイッチ１２がＯＮ−ＯＦＦを３回繰り返し、商品選択信号が３回、商品選択用制御装置４１に出力される。ステップ２において、商品選択用制御装置４１は、警報解除モードであると判断し、警報解除モードに入る。ついで、ステップ３〜１０において、商品選択ボタンａ１、ａ４，ｃ１，ｂ４と押して、金額表示器１７に「１４９８」を表示させる。すると、ステップ１１において、警報が解除され、商品選択用制御装置４１から、警報装置２６のスイッチ回路２６ａに停止信号が出力され、警報装置２６の作動が停止する。そして、ステップ１２において、閉じていた前面扉２を開けると、扉センサー２３から扉開信号が商品選択用制御装置４１に出力される。ステップ１３において、商品選択用制御装置４１は扉開信号を受けると、金額表示器１７に表示消し信号を出力しており、金額表示器１７の表示は消える。ついで、ステップ１４において、前面扉２を閉じると、扉センサー２３から扉閉信号が商品選択用制御装置４１に出力される。ステップ１５において、商品選択用制御装置４１は扉閉信号を受けると、警報解除モードを終了して、通常の販売モードに復帰する。なお、ステップ１２において、前面扉２が開いている場合があるが、その場合には、前面扉２が閉じた際に、商品選択用制御装置４１は、金額表示器１７に表示消し信号を出力している。この様にして、警報解除手段としての商品選択ボタン１１および商品選択スイッチ１２が、商品選択用制御装置４１に警報解除信号である暗証番号信号を出力している。
【００２２】
つぎに、警報動作時刻の設定を図７のフローに沿って説明する。ステップ１において、商品選択ボタンｂ３を連続的に３回押すと、商品選択ボタンｂ３の商品選択スイッチ１２がＯＮ−ＯＦＦを３回繰り返し、商品選択信号が３回、商品選択用制御装置４１に出力される。ステップ２において、商品選択用制御装置４１は、警報動作時刻の設定モードであると判断し、警報動作時刻の設定モードに入る。ステップ３において、たとえば、商品選択ボタンａ２を押すと、商品選択用制御装置４１は、この商品選択ボタンａ２の商品選択スイッチ１２からの商品選択信号を、数字の２の入力と解釈して、ステップ４において、金額表示器１７の表示部ｋ１に「２」を表示させる。ついで、ステップ５において、商品選択ボタンａ２を押すと、同様にして、ステップ６において、金額表示器１７の表示部ｋ２に「２」を表示させる。ついで、ステップ７において、商品選択ボタンｃ２を押すと、同様にして、ステップ８において、金額表示器１７の表示部ｋ３に「０」を表示させる。ついで、ステップ９において、商品選択ボタンｂ３を押すと、同様にして、ステップ１０において、金額表示器１７の表示部ｋ４に「７」を表示させる。この様にして、金額表示器１７には、「２２０７」が表示され、前の２桁「２２」が、２４時間表示の警報動作開始時刻すなわち午後１０時で、末尾の２桁「０７」が、２４時間表示の警報動作終了時刻すなわち午前７時である。そして、ステップ１１において、商品選択ボタンｂ３を連続的に３回押すと、商品選択用制御装置４１は、警報動作時刻の設定モードの終了と判断し、ステップ１２において、警報動作時刻の設定モードを終了して、通常の販売モードに復帰する。この様にして、警報動作時刻の設定手段としての商品選択ボタン１１および商品選択スイッチ１２が、商品選択用制御装置４１に警報動作時刻の設定信号を出力している。
【００２３】
前述のように実施の形態では、外部電源４６からの電気の供給が遮断された際には、電池５１，５２から商品選択用制御装置４１および警報装置２６に電気が供給されている。したがって、盗難の際に、前もって、自動販売機の電源コードをコンセントから抜いても、盗難警報システムの機能が消失することはない。また、商品選択用制御装置４１と警報装置２６とは、異なる電池５１，５２から電気が供給されている。したがって、警報装置２６の消費電力が多く、警報装置２６に電気を供給している電池５１の電圧が降下しても、商品選択用制御装置４１の電圧が低下することが減少する。その結果、商品選択用制御装置４１に供給される電圧が低下して、商品選択用制御装置４１が誤動作し、警報中に、警報が解除されることを防止することができる。
【００２４】
さらに、警報動作により、充電池５１が放電しても、外部電源４６から自動販売機に電気が供給されると、充電池５１は充電される。したがって、警報後の電池の交換は不要となる。なお、商品選択用制御装置４１の消費電力は小さいので、商品選択用制御装置４１に電気を供給する電池５２の消耗は少なく、警報動作後の交換は不要である。また、商品払出装置６や代金処理装置１９などは外部電源４６に直接接続されており、警報装置用充電回路４７には、商品払出装置６や代金処理装置１９などは接続されていないので、警報装置用充電回路４７や充電池５１は、警報装置２６の消費電力に合わせた容量のものを用意すればよく、商品払出装置６や代金処理装置１９などが接続されている場合と比して、小さな容量のもので済み、コストを削減することができる。
【００２５】
また、暗証番号の設定、警報の解除や、警報動作時刻の設定などは、商品選択ボタン１１で行われ、別途、専用の設定ボタンを設ける必要がない。その結果、コストを削減することができる。さらに、その表示も、金額表示器１７に行っており、別途、専用の表示器を設ける必要がない。その結果、コストを削減することができる。
【００２６】
そして、警報装置２６が作動した際に、鍵を所持していなかったり、鍵孔を壊されたりしていても、外部操作部材を構成している商品選択ボタン１１を操作して、警報を解除することができる。
【００２７】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、商品選択用制御装置４１に電気を供給する電池５２は乾電池などの一次電池であるが、充電池を採用することも可能である。この場合には、制御装置用電源切換装置は、充電回路とする。
【００２８】
（２）実施の形態においては、警報装置２６は盗難防止ブザーであるが、警報の手段は適宜選択可能で、たとえば、警報の表示をしたり、自動販売機を集中管理しているセンターなどに異常を無線または有線などで通報したりすることも可能である。なお、警報装置２６は盗難防止ブザーが最適である。
（３）実施の形態においては、販売商品Ｓは缶飲料であるが、取り扱う商品は適宜選択可能である。
【００２９】
（４）実施の形態においては、外部操作部材および外部操作部材用スイッチは、商品選択ボタン１１および商品選択スイッチ１２であるが、これに限定されず、プリペードカードなどのカード処理装置のリセットボタンや、返却ボタンなど前面扉２に設けられている種々の操作部材が可能である。ただし、商品選択ボタン１１は複数設けられており、暗証番号の入力などに最適であるとともに、専用の警報装置用設定ボタンを設ける必要がなくなり、コストを削減することができる。また、この様に、兼用することができるので、外部操作部材としては購買客が商品購入の際に使用する上記外部操作部材が好ましい。
（５）実施の形態において示した具体的フローは、あくまでも例示的なもので、具体的ボタンの操作などを種々に変更することが可能である。
【００３０】
（６）実施の形態においては、商品選択ボタン１１および商品選択スイッチ１２は、別体であるが、一体に構成することも可能である。たとえば、圧電素子や、タッチパネルなどで構成することも可能である。
（７）実施の形態においては、商品選択用制御装置４１が、盗難警報の制御装置の機能を有しているが、商品選択用制御装置４１とは別に、盗難警報用制御装置を設けることも可能である。この場合には、盗難警報用制御装置には、警報装置２６のスイッチ回路２６ａ、扉センサー２３、設定ボタン、表示器および制御装置用電源切換装置４８などが接続される。
【００３１】
（８）実施の形態の説明において、サブの制御装置として、サブの制御装置４１，４２，２１が例示的に記載されているが、冷凍サイクルを制御する冷凍サイクル用制御装置などの他のサブの制御装置も設けられている。
【００３２】
【発明の効果】
本発明の自動販売機によれば、警報装置、充電池および外部電源に接続される充電回路が設けられているので、外部電源からの電気の供給が遮断されても、充電池からの電気で警報装置を稼働することができる。しかも、この充電回路に外部電源から電気が供給されている際には、充電池に電気を供給して充電することができ、警報時に充電池が放電しても再度復活することができる。その結果、警報後の電池の交換が不要となる。
【００３３】
また、制御装置用の電池と、警報装置用の充電池とが設けられているので、警報装置の消費電力が多く、警報装置用の充電池の電圧が低下しても、制御装置の電圧に影響を与えることを防止することができる。したがって、制御装置の誤動作が減少する。その結果、警報途中において、制御装置の誤動作により、不用意に警報解除が行われることを防止することができる。
【００３４】
そして、警報解除手段が、前面扉の前面側に設けられている商品選択ボタンなどの外部操作部材および、この外部操作部材が操作された際にＯＮまたはＯＦＦする外部操作部材用スイッチで構成されている場合には、警報の解除を前面扉を開けずに行うことができる。
【図面の簡単な説明】
【図１】  図１は本発明にかかる自動販売機の正面図である。
【図２】  図２は自動販売機の断面図である。
【図３】  図３は制御回路図である。
【図４】  図４は金額表示器の正面図である。
【図５】  図５は暗証番号設定のフローチャートである。
【図６】  図６は警報解除のフローチャートである。
【図７】  図７は動作時刻の設定のフローチャートである。
【図８】  図８は従来の自動販売機における盗難警報システムの回路図である。
【符号の説明】
１  断熱箱体（自動販売機本体）
２  前面扉
１１  商品選択ボタン（警報解除手段）
２３  扉センサー
２６  警報装置
２６ａ  スイッチ回路
４１  商品選択用制御装置（制御装置）
４６  外部電源
４７  警報装置用充電回路
４８  制御装置用電源切換装置
５１  充電池
５２  制御装置用電池
【図１】
0003700749.tif 000002
【図２】
0003700749.tif 000003
【図３】
0003700749.tif 000004
【図４】
0003700749.tif 000005
【図５】
0003700749.tif 000006
【図６】
0003700749.tif 000007
【図７】
0003700749.tif 000008
【図８】
0003700749.tif 000009